(57)【要約】      （修正有）【課題】キーボードを有効に薄型化することが可能であり、組付作業が簡単となる薄型キーボード用命令発生構造を提供する。【解決手段】回路板と、フレームからなり、回路板１は、接触されて命令信号を発生する複数のキーボード命令部１１を有し、回路板に重なるフレーム２は、各キーボード命令部にそれぞれ対応する複数の収容区域２１と、各収容区域の何れかの対向するコーナー位置から、収容区域の内部のキーボード命令部へ延びる少なくとも二つの連接アーム２２と、各連接アームと連接して、押圧されるとキーボード命令部に接触する少なくとも一つの押圧具２３と、を含む。各連接アームは、コーナー位置と連接する少なくとも一つの第１連接段と、押圧具と連接する少なくとも一つの第２連接段と、少なくとも一つの応力屈折点を有する弾性段と、を含む。【選択図】図２
0003184121.tif 000002
【実用新案登録請求の範囲】
【請求項１】
回路板（１）と、フレーム（２）と、を含む薄型キーボード用命令発生構造において、
前記回路板（１）は、接触されて命令信号を発生する複数のキーボード命令部（１１）を有し、
前記回路板（１）に重なる前記フレーム（２）は、前記各キーボード命令部（１１）にそれぞれ対応する複数の収容区域（２１）と、前記各収容区域（２１）の何れかの対向するコーナー位置（２１１、２１１ａ）から、前記収容区域（２１）の内部の前記キーボード命令部（１１）へ延びる少なくとも二つの連接アーム（２２）と、前記各連接アーム（２２）と連接して、押圧されると前記キーボード命令部（１１）に接触する少なくとも一つの押圧具（２３）と、を含み、前記各連接アーム（２２）は、前記コーナー位置（２１１、２１１ａ）と連接する少なくとも一つの第１連接段（２２１）と、前記押圧具（２３）と連接する少なくとも一つの第２連接段（２２２）と、前記第１連接段（２２１）と前記第２連接段（２２２）を連接して、少なくとも一つの応力屈折点（Ａ）を有する弾性段（２２３）と、を含むことを特徴とする薄型キーボード用命令発生構造。
【請求項２】
更に、少なくとも一つの弾性支持具（３）を含み、前記弾性支持具（３）は、前記回路板（１）と前記フレーム（２）の間に挟まれており、前記各キーボード命令部（１１）に対応するように設けられることを特徴とする、請求項１に記載の薄型キーボード用命令発生構造。
【請求項３】
前記弾性支持具（３）は、前記押圧具（２３）に押圧されて前記回路板（１）に接触してキーボード命令信号を発生する触発部（３１）を含むことを特徴とする、請求項２に記載の薄型キーボード用命令発生構造。
【請求項４】
前記弾性支持具（３）は、スポンジ（３ａ）、又は弾性具（３ｂ）であることを特徴とする、請求項３に記載の薄型キーボード用命令発生構造。
【請求項５】
前記弾性支持具（３）は、前記押圧具（２３）に押圧されて前記回路板（１）に接触してキーボード命令信号を発生する触発部（３１）と、前記触発部（３１）から延びて、前記押圧具（２３）に押圧されると変形して弾性回復力を提供する複数の支持片（３２）と、を含むことを特徴とする、請求項２に記載の薄型キーボード用命令発生構造。
【請求項６】
更に、前記各押圧具（２３）に対応するように組み付けられる少なくとも一つのキーキャップ（４）を含むことを特徴とする、請求項１に記載の薄型キーボード用命令発生構造。
【請求項７】
前記キーキャップ（４）は、その表面に塗布されて前記各押圧具（２３）をマークする文字符号（４１）を有することを特徴とする、請求項６に記載の薄型キーボード用命令発生構造。
【請求項８】
更に、前記押圧具（２３）と前記キーキャップ（４）とに挟まれて文字符号（４１ａ）がマークされた挟み板（４２）を含むことを特徴とする、請求項６に記載の薄型キーボード用命令発生構造。
【請求項９】
前記押圧具（２３）は、その表面に塗布されて前記各押圧具（２３）をマークする文字符号（４１ｂ）を有することを特徴とする、請求項６に記載の薄型キーボード用命令発生構造。
【請求項１０】
更に、発光構造（５）を含み、前記発光構造（５）は、発光モジュールと、前記回路板（１）に対応するように設けられる底板（５１）と、を含むことを特徴とする、請求項１に記載の薄型キーボード用命令発生構造。
【請求項１１】
前記発光構造（５）は、更に、導光板（５２）を含み、前記導光板（５２）は、前記キーキャップ（４）と前記底板（５１）の間に設けられており、光線を伝導することを特徴とする、請求項１０に記載の薄型キーボード用命令発生構造。
【請求項１２】
前記回路板（１）は、前記各収容区域（２１）に対応するように設けられる少なくとも一つの透光区域（１２）と、一つの透光不能区域（１３）と、を含むことを特徴とする、請求項１０に記載の薄型キーボード用命令発生構造。
【請求項１３】
前記フレーム（２）は遮光層（２４）を含み、前記遮光層（２４）は前記フレーム（２）に設けられており、前記遮光層（２４）により光線が前記収容区域（２１）だけを透過可能であることを特徴とする、請求項１０に記載の薄型キーボード用命令発生構造。
【考案の詳細な説明】
【技術分野】
【０００１】
本考案は、薄型キーボードに関し、特に、従来の連動機構の代りに連接アームを採用することにより、キーボードを薄型化することが可能な薄型キーボード用命令発生構造に関するものである。
【背景技術】
【０００２】
従来のキーボードは、例えば特許文献１の台湾特許第４４５４７１号、特許文献２の台湾特許第Ｉ２２０２１３号及び特許文献３の台湾特許第Ｍ３４６８６１号が提案された。これらのキーボードは、キーキャップと、これらの前記キーキャップに触発されて命令信号を発生する回路板と、前記回路板の一側に設けられている基板と、その両端が前記キーキャップ及び前記基板とそれぞれ連接する連動機構と、を有する。従来のキーボードは、前記キーキャップが押圧されて前記回路板に移動しているときに、前記連動機構が圧迫されて前記回路板にある回路スイッチと接触して、前記回路スイッチがオンとなって、それに対応する命令信号を発生する。なお、前記キーキャップが押圧されないときには、前記連動機構による弾力により、前記キーキャップが前記回路板から離れる。従来のキーボードは、命令を入力可能であるが、前記連動機構自身が一定の厚さ及び構成を有するため、キーボードを薄型化することができない。しかし、現在のコンピュータは、軽くて薄いとの要請が強い。特に、ノートパーソナルコンピュータは、キーボードモジュールの厚さが全体の厚さの大半を占めるため、各メーカーがキーボードの薄型化に全力を挙げている。
【０００３】
上記の問題を解決するために、例えば特許文献４の台湾特許第Ｍ４３４９７９号が提案された。このようなキーボードは、第１支持具と第２支持具とから構成されるＶ字形構造により、Ｘ字形構造を有する従来の連動機構の厚さを減少する。そして特許文献５の台湾特許第Ｍ４１９９７３号が提案された。このようなキーボードは、従来の連動機構の代りに、キーキャップと回路板の間に設けられる伸縮式昇降構造を採用する。また、特許文献６の台湾特許第Ｍ４２６０７５号が提案された。このようなキーボードは、従来の連動機構の代りに、キーキャップの四周にそれぞれ設けられている、第１支持具と、第２支持具と、を採用する。しかしながら、上記のこれらのキーボードは、キーボードを有効に薄型化することができず、そしてキーキャップの組付作業が困難である問題があった。
【先行技術文献】
【特許文献】
【０００４】
【特許文献１】台湾特許第４４５４７１号公報
【特許文献２】台湾特許第Ｉ２２０２１３号公報
【特許文献３】台湾特許第Ｍ３４６８６１号公報
【特許文献４】台湾特許第Ｍ４３４９７９号公報
【特許文献５】台湾特許第Ｍ４１９９７３号公報
【特許文献６】台湾特許第Ｍ４２６０７５号公報
【考案の概要】
【考案が解決しようとする課題】
【０００５】
本考案の主な目的は、連接アームによって押圧具を支持することにより、キーボードを有効に薄型化することが可能であり、そして組付作業が簡単となる薄型キーボード用命令発生構造を提供することにある。
【課題を解決するための手段】
【０００６】
本考案の薄型キーボード用命令発生構造によると、回路板１と、フレーム２と、を含む薄型キーボード用命令発生構造において、回路板１は、接触されて命令信号を発生する複数のキーボード命令部１１を有し、回路板１に重なるフレーム２は、各キーボード命令部１１にそれぞれ対応する複数の収容区域２１と、各収容区域２１の何れかの対向するコーナー位置２１１、２１１ａから、収容区域２１の内部のキーボード命令部１１へ延びる少なくとも二つの連接アーム２２と、各連接アーム２２と連接して、押圧されるとキーボード命令部１１に接触する少なくとも一つの押圧具２３と、を含み、各連接アーム２２は、コーナー位置２１１、２１１ａと連接する少なくとも一つの第１連接段２２１と、押圧具２３と連接する少なくとも一つの第２連接段２２２と、第１連接段２２１と第２連接段２２２を連接して、少なくとも一つの応力屈折点Ａを有する弾性段２２３と、を含むことを特徴とする。
【０００７】
本考案の薄型キーボード用命令発生構造によると、更に、少なくとも一つの弾性支持具３を含み、弾性支持具３は、回路板１とフレーム２の間に挟まれており、各キーボード命令部１１に対応するように設けられることを特徴とする。
【０００８】
本考案の薄型キーボード用命令発生構造によると、弾性支持具３は、押圧具２３に押圧されて回路板１に接触してキーボード命令信号を発生する触発部３１を含むことを特徴とする。
【０００９】
本考案の薄型キーボード用命令発生構造によると、弾性支持具３は、スポンジ３ａ、又は弾性具３ｂであることを特徴とする。
【００１０】
本考案の薄型キーボード用命令発生構造によると、弾性支持具３は、押圧具２３に押圧されて回路板１に接触してキーボード命令信号を発生する触発部３１と、触発部３１から延びて、押圧具２３に押圧されると変形して弾性回復力を提供する複数の支持片３２と、を含むことを特徴とする。
【００１１】
本考案の薄型キーボード用命令発生構造によると、更に、各押圧具２３に対応するように組み付けられる少なくとも一つのキーキャップ４を含むことを特徴とする。
【００１２】
本考案の薄型キーボード用命令発生構造によると、キーキャップ４は、その表面に塗布されて各押圧具２３をマークする文字符号４１を有することを特徴とする。
【００１３】
本考案の薄型キーボード用命令発生構造によると、更に、押圧具２３とキーキャップ４とに挟まれて文字符号４１ａがマークされた挟み板４２を含むことを特徴とする。
【００１４】
本考案の薄型キーボード用命令発生構造によると、押圧具２３は、その表面に塗布されて各押圧具２３をマークする文字符号４１ｂを有することを特徴とする。
【００１５】
本考案の薄型キーボード用命令発生構造によると、更に、発光構造５を含み、発光構造５は、発光モジュールと、回路板１に対応するように設けられる底板５１と、を含むことを特徴とする。
【００１６】
本考案の薄型キーボード用命令発生構造によると、発光構造５は、更に、導光板５２を含み、導光板５２は、キーキャップ４と底板５１の間に設けられており、光線を伝導することを特徴とする。
【００１７】
本考案の薄型キーボード用命令発生構造によると、回路板１は、各収容区域２１に対応するように設けられる少なくとも一つの透光区域１２と、一つの透光不能区域１３と、を含むことを特徴とする。
【００１８】
本考案の薄型キーボード用命令発生構造によると、フレーム２は遮光層２４を含み、遮光層２４はフレーム２に設けられており、遮光層２４により光線が収容区域２１だけを透過可能であることを特徴とする。
【考案の効果】
【００１９】
本考案の薄型キーボード用命令発生構造によれば、連接アームによって押圧具を支持することにより、キーボードを有効に薄型化することが可能であり、組付作業が簡単となるという効果を有する。
【図面の簡単な説明】
【００２０】
【図１】本考案の実施例１のフレームを示す平面図である。
【図２】本考案の実施例１の構造を示す分解斜視図である。
【図３】本考案の実施例１の構造の別の視点から見た分解斜視図である。
【図４】本考案の実施例１を押圧する状態を示す模式図である。
【図５】本考案の実施例２の構造を示す分解斜視図である。
【図６】本考案の実施例３の構造を示す分解斜視図である。
【図７】本考案の実施例４の構造を示す分解斜視図である。
【図８】本考案の実施例５の構造を示す分解斜視図である。
【図９】本考案の実施例６の構造を示す分解斜視図である。
【考案を実施するための形態】
【００２１】
以下、本考案の実施の形態を図面に基づいて説明する。
図１乃至図４を参照する。図１は本考案の実施例１のフレームを示す平面図であり、図２は本考案の実施例１の構造を示す分解斜視図であり、図３は本考案の実施例１の構造の別の視点から見た分解斜視図であり、図４は本考案の実施例１を押圧する状態を示す模式図である。本実施例の薄型キーボード用命令発生構造は、従来の命令発生構造における連動機構を省略することにより、キーボードを有効に薄型化することが可能である。本実施例の薄型キーボード用命令発生構造は、回路板１と、回路板１に重なるフレーム２と、を含む。回路板１は、接触されて命令信号を発生する複数のキーボード命令部１１を有する。フレーム２は、各キーボード命令部１１にそれぞれ対応する複数の収容区域２１を含む。具体的には、収容区域２１は複数のコーナー位置２１１を含む。収容区域２１は、更に、各収容区域２１の何れかの対向するコーナー位置２１１、２１１ａから、収容区域２１の内部のキーボード命令部１１へ延びる少なくとも二つの連接アーム２２と、各連接アーム２２と連接して、押圧されたとキーボード命令部１１に接触する少なくとも一つの押圧具２３と、を含む。各連接アーム２２は、コーナー位置２１１、２１１ａと連接する少なくとも一つの第１連接段２２１と、押圧具２３と連接する少なくとも一つの第２連接段２２２と、第１連接段２２１と第２連接段２２２を連接して、少なくとも一つの応力屈折点Ａを有する弾性段２２３と、を含む。図４を参照する。これらの連接アーム２２が力を受けて変形していないときには、押圧具２３が回路板１の方向に移動しない。このとき、押圧具２３とキーボード命令部１１の間に一定の距離が存在し、押圧具２３がキーボード命令部１１に接触せず、このため、命令信号を発生しない。なお、押圧具２３が力を受けて回路板１の方向に移動するときには、押圧具２３が連接アーム２２を連動して変形させて、図４に示すように、第２連接段２２２が回路板１の方向に移動し、この過程中に、発生する応力が弾性段２２３の応力屈折点Ａに分散する。押圧具２３に加えられた力が消えると、応力屈折点Ａにより弾性段２２３が本来の状態（押圧具２３とキーボード命令部１１の間に一定の距離が存在する状態）に回復する。
【００２２】
本実施例の薄型キーボード用命令発生構造は、図１乃至図４に示すように、更に、少なくとも一つの弾性支持具３を含む。弾性支持具３は、回路板１とフレーム２の間に挟まれており、各キーボード命令部１１に対応するように設けられる。押圧具２３が力を受けて回路板１の方向に移動するときに、弾性支持具３は、押圧具２３に押付けられて変形して、回路板１にあるキーボード命令部１１に接触して命令信号を発生する。なお、押圧具２３に加えられた力が消えると、弾性支持具３による弾性回復力により、押圧具２３が押付けられて本来の状態に回復する。具体的には、弾性支持具３は、押圧具２３に押付けられて回路板１に接触して命令信号を発生する触発部３１を含む。弾性支持具３は、例えば図５に示したスポンジ３ａ、又は図６に示した弾性具３ｂである。図５は本考案の実施例２の構造を示す分解斜視図であり、図６は本考案の実施例３の構造を示す分解斜視図である。スポンジ３ａの設置位置は、一部的に設けてもいいし、全面的に設けてもよい。また、弾性支持具３は、更に、触発部３１から延びて、押圧具２３に押圧されると変形して弾性回復力を提供する複数の支持片３２を含んでもよい。支持片３２を有する弾性支持具３は図２に示した。また、押圧具２３は、更に、押付部２３１を有してもよい。押付部２３１は、各キーボード命令部１１に対応するように設けられ、押圧具２３が力を受けて回路板１に移動するときにキーボード命令部１１に接触する。
【００２３】
本考案は、図２に示すように、各押圧具２３に対応するように組み付けられる少なくとも一つのキーキャップ４を含む。キーキャップ４により、押圧可能な面積を増大可能であり、このように、ユーザは命令信号を素早く発生させることが可能である。キーキャップ４は、その表面に塗布されて各押圧具２３をマークする文字符号４１を有する。具体的には、各押圧具２３による命令信号が異なるため、文字符号４１により、ユーザは各押圧具２３を識別可能である。また、図７は本考案の実施例４の構造を示す分解斜視図であり、図７に示すように、文字符号４１ａは、押圧具２３の表面に塗布されることにより、各押圧具２３を識別可能である。また、図８は本考案の実施例５の構造を示す分解斜視図であり、図８に示すキーキャップ４は、透光性を有してもよい。このように、押圧具２３とキーキャップ４の間に挟み板４２を設けることが可能である。印刷などの方式により、挟み板４２に文字符号４１ｂをマークすることが可能である。キーキャップ４の透光性により、ユーザは文字符号４１ｂを見ることが可能である。
【００２４】
本実施例の薄型キーボード用命令発生構造は、図１乃至図４に示すように、更に発光構造５を含む。発光構造５は、発光モジュール（図示せず）と、回路板１に対応するように設けられる底板５１と、を含む。具体的には、前記発光モジュールは、例えば発光ダイオードモジュール、又はエレクトロルミネセンスモジュールである。発光構造５は、更に、導光板５２を含む。導光板５２はキーキャップ４と底板５１の間に設けられている。前記発光モジュールの設置可能な位置は多いが、導光板５２は、前記発光モジュールの位置に対応するように設けられてもよく、底板５１に重なってもよく、更に回路板１に重なってもよい。一方、回路板１は、各収容区域２１に対応するように設けられる少なくとも一つの透光区域１２と、一つの透光不能区域１３と、を含む。また、フレーム２は遮光層２４を含み、遮光層２４はフレーム２に設けられている。遮光層２４により光線が収容区域２１だけを透過可能である。遮光層２４は、実施の態様が多いが、フレーム２に設けられている遮光板でもよく、フレーム２に塗布された遮光材料でもよい。図９は本考案の実施例６の構造を示す分解斜視図であるが、もちろん、本考案の押圧具の実施の態様は、上記の実施例に限定されず、図９に示した押圧具２３ａでもよい。
【００２５】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００２６】
本考案は、薄型キーボードに適用することができる。
【符号の説明】
【００２７】
１  回路板
２  フレーム
３  弾性支持具
３ａ  スポンジ
３ｂ  弾性具
４  キーキャップ
５  発光構造
１１  キーボード命令部
１２  透光区域
１３  透光不能区域
２１  収容区域
２２  連接アーム
２３、２３ａ  押圧具
２４  遮光層
３１  触発部
３２  支持片
４１、４１ａ、４１ｂ  文字符号
５１  底板
５２  導光板
２１１、２１１ａ  コーナー位置
２２１  第１連接段
２２２  第２連接段
２２３  弾性段
２３１  押付部
【図１】
0003184121.tif 000003
【図２】
0003184121.tif 000004
【図３】
0003184121.tif 000005
【図４】
0003184121.tif 000006
【図５】
0003184121.tif 000007
【図６】
0003184121.tif 000008
【図７】
0003184121.tif 000009
【図８】
0003184121.tif 000010
【図９】
0003184121.tif 000011